(57)【要約】【課題】商品取出口に装備した照明装置のレイアウトを改良し、照明光が商品取出扉，防盗フラッパに阻害されることなく商品取出口に払出した商品を視認し易くし、併せて省エネ，雨水対策にも配慮した自動販売機の商品取出口を提供する。【解決手段】外扉の下部に構築して庫内の商品収納ラックから払出した商品を受容する商品取出口５であって、その箱形トレー６の天井部に、手前に撥ね上げて開く商品取出扉７，およびその背後に防盗フラッパ８を並べて架設したものにおいて、箱型トレーの天板６ａにＬＥＤランプ１３を光源としてトレー内部を照らす照明装置１２を設置するとともに、該照明装置から出射する照明光を商品取出扉とその背後に並ぶ防盗フラッパとの間に画成される投光路を通じてトレー内部の底部側に投光するようにし、これに対応して箱形トレーの天板６ａに投光用窓穴６ａ−１を開口する。【選択図】図１
2007334458.tif 000002
【特許請求の範囲】
【請求項１】
外扉の下部に構築して庫内の商品収納ラックから払出した商品を受容する商品取出口であり、その箱形トレーの天井部に、手前に撥ね上げて開く商品取出扉，およびその背後に防盗フラッパを並べて架設したものにおいて、
前記箱型トレーの天板上にトレー内部を照明する照明装置を設置するとともに、該照明装置から出射する照明光を商品取出扉とその背後に並ぶ防盗フラッパとの間に画成した投光路を通じて投光するようにしたことを特徴とする自動販売機の商品取出口。
【請求項２】
請求項２に記載の商品取出口において、箱形トレーの天板における商品取出扉と防盗フラッパとの間の対応箇所に照明光の投光用窓穴を開口したことを特徴とする自動販売機の商品取出口。
【請求項３】
請求項１または２のいずれかの項に記載の商品取出口において、照明装置の光源がＬＥＤランプであることを特徴とする自動販売機の商品取出口。
【請求項４】
請求項１に記載の商品取出口において、照明装置に防水カバーを付設したことを特徴とする自動販売機の商品取出口。
【発明の詳細な説明】
【技術分野】
【０００１】
本発明は、缶，ビン，ペットボトルなどの商品を販売する自動販売機の商品取出口に関する。
【背景技術】
【０００２】
先ず、頭記の自動販売機，および該自動販売機に備えた商品取出口の構成を図３，図４に示す。図３において、１は自動販売機の本体キャビネット、２はその外扉、３は商品見本を陳列した電照室、４は商品選択ボタン、５は外扉の下部に構築した商品取出口であり、販売指令を受けて庫内の商品収納ラック（不図示）から払出した商品が商品搬出シュータを経て商品取出口５に取り出されることは周知の通りである。
ここで、商品取出口５は、よく知られているように前後端面を開口した箱形トレー６前面開口部に撥ね上げ式の商品取出扉７（一般には透視可能な半透明な樹脂製）を配し、その背後に鋼板製の防盗フラッパ８を架設した構成になり、商品取出口５の背後にはキャビネットの断熱内扉に設けた扉付きの商品搬出口９を介して庫内の商品搬出シュータ１０が連係している。
【０００３】
上記の構成で、販売指令に基づき庫内の商品収納ラックから払出した商品（缶，ビン，ペットボトル商品）１１は、商品搬出シュータ１０の傾斜面を転動し、商品搬出口９のフラッパを押し開いて商品取出口５の中に転がり落ちて箱形トレー６の底部に受容される。
ここで商品取出口５から商品１１を取り出すには、図４で示すように商品取出扉７に手をかけて矢印Ｉ方向に撥ね上げて開き、次に商品取出口５に手を差し入れて垂下姿勢の状態にある防盗フラッパ８を矢印IIの方向に押し込みながら箱形トレー６の底部に受容されている商品１１を掴んで取り出す。なお、この場合に防盗フラッパ８は、矢印方向に傾動してその背後に開口して庫内に通じている商品搬出口９を塞いで防盗の役目を果たす。
一方、自動販売機において、商品取出口の前面に配した商品取出扉（押し込み開放式）の扉板裏面に照明ランプを装備して商品の販売動作時にこの照明ランプを点灯し、商品取出口５の内部を明るく照らして商品を取り出し易くするようにした構成の商品取出口が公知である（例えば、特許文献１参照）。
【特許文献１】特開平８−１６７０６６号公報（図２）
【発明の開示】
【発明が解決しようとする課題】
【０００４】
ところで、商品取出口に照明ランプを装備してトレーの内部を明るく照らすようにする場合に、特許文献１に開示されているような照明装置の構造では、その機能面で次記のような問題点がある。
すなわち、昨今の自動販売機は、防盗機能を高めるために図４のように商品取出口５の内部に防盗フラッパ８を装備しており、またその前方に配した商品取出扉７は防盗フラッパとの不要な干渉を避けて商品の取り出しスペースを確保するために、手前に撥ね上げて開放する方式の扉が一般に採用されている。
このために、特許文献１に開示されている商品取出口の照明装置をそのまま図４の商品取出扉に装備したとすると、販売商品を取り出すために商品取出扉７を手前上方に撥ね上げて開いた状態では、照明ランプの照明光が商品取出口の底部まで十分に届かず、また商品取出扉の背後に並んで垂下している防盗フラッパ８も照明光を遮光するために照明ランプの照明効果が十分に発揮されず、箱形トレー６の底部に払出した商品１１が視認し難くなる。そのほか、屋外に設置した自動販売機では、雨天時に商品取出扉７を開くと、照明ランプに雨水が直接降り掛かってランプ故障の原因となるおそれもある。
【０００５】
本発明は上記の点に鑑みなされたものであり、商品取出口に装備した照明装置のレイアウト，取付け構造を改良することにより、商品取出扉，防盗フラッパに阻害されることなく商品取出口に払出した商品を視認し易くし、併せて省エネ，雨水対策にも配慮した自動販売機の商品取出口を提供することを目的とする。
【課題を解決するための手段】
【０００６】
上記目的を達成するために、本発明によれば、外扉の下部に構築して庫内の商品収納ラックから払出した商品を受容する商品取出口であって、その箱形トレーの天井部に、手前に撥ね上げて開く商品取出扉，およびその背後に防盗フラッパを並べて架設したものにおいて、
前記箱型トレーの天板上にトレー内部を照らす照明装置を設置するとともに、該照明装置から出射する照明光を商品取出扉とその背後に並ぶ防盗フラッパとの間に画成される投光路を通じてトレー内部の底部側に投光するようにし（請求項１）、具体的には次記のような態様で構成するものとする。
（１）前記照明装置の投光路を確保するために、箱形トレーの天板における商品取出扉と防盗フラッパとの間の対応箇所に照明光の投光用窓穴を開口する（請求項２）。
（２）前記照明装置の光源にＬＥＤランプを用いる（請求項３）。
（３）前記照明装置に雨水が降りかかるのを防ぐように照明装置に防水カバーを付設する（請求項４）。
【発明の効果】
【０００７】
上記の構成によれば、照明装置から出射する照明光が商品取出扉とその背後に並ぶ防盗フラッパとの間の間隙を透過して箱形トレーの底部を照らすことができ、またここに払出した商品を取り出すために商品取出扉を開いた状態でも、その扉板，防盗フラッパに阻害されることなく箱形トレーの底部に払出しした商品を容易に視認できる。
また、照明装置の光源としてＬＥＤランプを用いたことにより、通常の白熱ランプなどに比べて消費電力が少なくて済み、かつ寿命も長い。しかも、照明装置に防水カバーを付設することで外扉の内部に浸透，流下する雨水の影響を回避できる。
【発明を実施するための最良の形態】
【０００８】
以下、本発明の実施の形態を図１，図２に示す実施例に基づいて説明する。なお、実施例の図中で図４に対応する部材には同じ符号を付してその詳細な説明は省略する。
すなわち、図示実施例の商品取出口５においては、商品取出口５を画成する箱形トレー６の天板６ａに、ＬＥＤランプ１３を光源とする照明装置１２が装備されている。ここで、照明装置１２の設置箇所は、商品取出口５の前面側に配して天板６ａに架設した商品取出扉７とその背後に並べて架設した防盗フラッパ８との間に対応し、この取付位置に合わせて天板６ａに開口した投光用窓穴（角穴）６ａ−１に臨ませて天板６ａの上側に設置されている。また、この照明装置１２には防水カバー１４を付設し、ＬＥＤランプ１３が外部から外扉２に浸透して扉内部を流下する雨水に曝されないようにしている。なお、１２ａは防水カバーの取付ねじ、１２ｂはＬＥＤランプ１３の接続リード線である。
【０００９】
上記の構成により、ＬＥＤランプ１３から出射した照明光は、図示の点線矢印で表すように前記の投光用窓穴６ａ−１を透過し、商品取出扉７と防盗フラッパ８との間の間隙を通じて箱形トレー６の底部を照らす。これにより、商品販売時に庫内から商品取出口５に払出した商品１１を自動販売機の前方から容易に視認することかできる。また、商品１１を取り出すために、商品取出扉７を前方に開き、商品取出口５の中に手を差し入れて防盗フラッパ８を奥に押し込んだ状態でも、商品１１を照らしている照明光が商品取扉，防盗フラッパに邪魔されて遮光されることはない。
さらに、照明装置１２に防水カバー１４を付設したことにより、雨天時に外扉２の内部に浸透して流下した雨水が、照明装置１２のＬＥＤランプ１３を濡らしたり、天板６ａの上に滞留したりするおそれがなく、天板６ａに開口した前記窓穴６ａ−１を通じて下方に流下排出することかできる。なお、前記窓穴６ａ−１を通じて下方に排出された雨水の水滴は箱形トレー６に形成された排出口（不図示）を介して外部に排出される。
【図面の簡単な説明】
【００１０】
【図１】本発明の実施例による商品取出口の構造を表す側視断面図
【図２】図１におけるＡ部を拡大した俯瞰図
【図３】本発明の実施対象となる自動販売機全体の外観図
【図４】図３における商品取出口の従来構造を表す側視断面図
【符号の説明】
【００１１】
１    自動販売機の本体キャビネット
２    外扉
５    商品取出口
６    箱形トレー
６ａ  天板
６ａ−１  投光用窓穴
７    商品取出扉
８    防盗フラッパ
１１    商品
１２    照明装置
１３    ＬＥＤランプ
１４    防水カバー
【図１】
2007334458.tif 000003
【図２】
2007334458.tif 000004
【図３】
2007334458.tif 000005
【図４】
2007334458.tif 000006